(57)【要約】【課題】遊技島がＲ島であるか直線島であるか、および幕板の取付面が平板状であるか湾曲形であるかを問わず、遊技島に対して幕板を開閉自在に固定することのできる汎用性の高い取付部品を提供する。【解決手段】遊技機１００が設置される遊技島９０に幕板９１を開閉自在に取り付けるためのスライド式の蝶番であって、遊技島に固定されるベース部材２０と、ベース部材の幅方向の両側に対向して設けられたそれぞれ前後方向にのびるガイド３０と、ベース部材に対し前記ガイドに沿って押込みおよび引出し可能に軸支されたスライド部材４０とからなり、前記スライド部材は、該スライド部材とガイドとを摺動自在および回動可能に連結するスライド軸４２と、前記対向するガイド同士の間隔よりも幅狭に形成された幕板固定片４４と、前記スライド軸と幕板固定片とを結合する連結部４８と、を有することを特徴とする幕板開閉用蝶番１０。【選択図】図２
2008125699.tif 000002
【特許請求の範囲】
【請求項１】
遊技機が設置される遊技島に幕板を開閉自在に取り付けるためのスライド式の蝶番であって、
（ａ）前記遊技島に固定されるベース部材と、
（ｂ）前後方向にのびる摺動溝をそれぞれ備え、前記ベース部材の幅方向の両側に対向して設けられたガイドと、
（ｃ）前記対向する摺動溝に摺動および回動可能に軸架されたスライド軸、前記対向するガイド同士の間隔よりも幅狭に形成され幕板をネジ留めするための複数個のネジ孔が前記スライド軸の軸方向と直交する方向に並んで設けられた幕板固定片、および前記幕板固定片の基端部から幅方向に延出して前記スライド軸と幕板固定片とを結合する連結部を備え、前記ベース部材に対し前記ガイドに沿って前後に押込みおよび引出しが可能なスライド部材と、からなり、
前記スライド部材は、スライド軸の軸周りに幕板固定片の先端部を回動させることでベース部材に対して垂下および引上げが可能であって、かつ、幕板固定片をベース部材に対して水平位置とした状態では、前記連結部とガイドとのクリアランスがスライド軸と摺動溝とのクリアランスよりも大きく、連結部とガイドとが非接触であることを特徴とする幕板開閉用蝶番。
【請求項２】
遊技機が設置される遊技島に幕板を開閉自在に取り付けるためのスライド式の蝶番であって、遊技島に固定されるベース部材と、ベース部材の幅方向の両側に対向して設けられたそれぞれ前後方向にのびるガイドと、ベース部材に対し前記ガイドに沿って押込みおよび引出し可能に軸支されたスライド部材とからなり、
前記スライド部材は、該スライド部材とガイドとを摺動自在および回動可能に連結するスライド軸と、前記対向するガイド同士の間隔よりも幅狭に形成された幕板固定片と、前記スライド軸と幕板固定片とを結合する連結部と、を有することを特徴とする幕板開閉用蝶番。
【請求項３】
幕板固定片には、幕板をネジ留めするための複数個のネジ孔が、前記スライド軸の軸方向と直交する方向に並んで設けられていることを特徴とする請求項２に記載の幕板開閉用蝶番。
【請求項４】
幕板固定片の幅寸法が、前記幕板をネジ留めするネジの座面直径の一倍以上かつ二倍以下である請求項１から３のいずれかに記載の幕板開閉用蝶番。
【請求項５】
幕板固定片の幅寸法が、前記ネジ孔の直径の一倍以上かつ二倍以下である請求項１から３のいずれかに記載の幕板開閉用蝶番。
【請求項６】
前記幕板固定片と連結部とが略Ｔ字状に一体成形されている請求項１から５のいずれかに記載の幕板開閉用蝶番。
【請求項７】
幕板固定片がベース部材に対して水平を保った状態でスライド部材をガイドに沿って摺動させた場合に、スライド部材とガイドとはスライド軸とのみ接触することを特徴とする請求項２から６のいずれかに記載の幕板開閉用蝶番。
【請求項８】
複数台の遊技機が互いに屈曲して横並びに設置されるとともに、湾曲形状の幕板が開閉自在に設けられた遊技島であって、前記幕板は請求項１から７のいずれかに記載の幕板開閉用蝶番の備える幕板固定片に対してネジ留め固定されていることを特徴とする遊技島。
【発明の詳細な説明】
【技術分野】
【０００１】
本発明は、パチンコやパチスロなどの遊技機が設置される遊技機設置島（以下、「遊技島」と略記する。）の上部に、これを覆う幕板を開閉自在に取り付け、また幕板の開放状態を保持することのできる蝶番部品、およびこれを備える遊技島に関する。
【背景技術】
【０００２】
パチンコ機やパチスロ機に代表される遊技機は、略直方体状の遊技島の長手方向に沿って複数台が横並びに配置されることが従来もっとも一般的である。パチンコ機については、遊技島の上方に架設された補給樋から所要のパチンコ球を絶えず補給することによって、大当たり当選などにより多くのパチンコ球が短時間で排出された場合でも球不足を招来することなく遊技を継続することができる。また近年では、パチスロ機についても遊技島内部に設けられた補給樋を通じてメダルを機械的に供給する方式を採用し、遊技場のスタッフによる手作業のメダル補給を不要とすることで、大当たり遊技中の中断を回避可能とする遊技島も登場している。
【０００３】
遊技島の上部に設けられる補給樋は、遊技島の長手方向に沿って横並びに設けられた複数枚の幕板によって掩蔽され、補給樋にて搬送される遊技媒体に対して遊技者等が不正に接触できないようにしている。ただし遊技媒体の詰まりや補給樋のメンテナンスなどの際には遊技場のスタッフによって補給樋にアクセスできるよう、幕板はそれぞれ開閉可能に取り付けられている必要がある。また幕板には、視認性の高い遊技島の上部に位置していることから、その外面を装飾して遊技島の意匠性を向上する機能も有している。
【０００４】
幕板を遊技島に対して開閉自在に取り付けるための部材としては、下記特許文献１に記載の開閉装置が代表的である。図５に示す従来の開閉装置１１０は、幕板の上部を遊技島の鴨居に開閉自在に取り付ける蝶番であって、略水平なスライド長孔１３２を有するベース金具１２０と、スライド長孔内に移動自在に係合した軸１４２を有するスライド部材１４０とから構成されている。幕板の上辺に沿って幅方向に例えば２箇所ずつこの開閉装置を設けることにより、幕板はその上辺を中心に回動して開閉自在となる。また略水平まで幕板を開放した状態でこれをスライド長孔１３２に沿って遊技島の上面を内側方向に押込むことにより、幕板の開放状態を維持することができる。スライド長孔１３２には後端に係止部１３４が形成され、軸１４２と係合させることで幕板の開放状態をロックすることができる。
【０００５】
一方、近年は遊技場ごとに独創的なレイアウトを実現するため、下記特許文献２に示す如く、複数台の遊技機のうち隣り合う一部または全部が互いに屈曲して配置される湾曲形や屈曲形などの遊技島（以下、「Ｒ島」という。）が提案されている。Ｒ島は遊技機が並設される長手方向に沿って全体に湾曲または屈曲形状を為すことから、その上部に設けられる幕板についても、隣り合う幕板の法線方向を互いに所定の屈曲角にて屈曲させながら連設することになる。また幕板を平板とすることでＲ島の外形は屈曲形状となり、また幕板を湾曲板とすることでＲ島の外形を湾曲形状とすることができる。
【０００６】
【特許文献１】実開昭６３−１９５８８９号公報
【特許文献２】特開平１０−７１２６２号公報
【発明の開示】
【発明が解決しようとする課題】
【０００７】
しかし、Ｒ島に対して開閉自在に設けられる幕板が、Ｒ島の湾曲または屈曲形状に合わせて凹面状または凸面状を為す場合、上記特許文献１に記載の開閉装置によっては幕板をＲ島に取り付けることが困難となる。すなわち、図５に示す従来の開閉装置１１０の場合、スライド部材１４０のうち幕板と当接する接合部位１４４が、対向するスライド長孔１３２同士の間隔よりも幅広に形成され、また幕板をネジ留めするためのネジ孔１４６ａ，ｂが開閉装置１１０の幅方向に横並びに設けられていることから、かかる開閉装置１１０を幕板の上辺に沿って２箇所に取り付けた場合、４箇所のネジ孔が一直線上に並ぶこととなって幕板の湾曲形状に適合することができないためである。換言すると、従来の幕板開閉装置は、遊技機が横並び一直線上に設置される直線島に用いられることを前提として作製されたものであり、平滑な平板状以外の、例えば遊技島への取付面（内面）が湾曲した幕板を開閉自在に固定することはできないという問題があった。
【０００８】
本発明は上記課題を解決するためになされたものであり、すなわち遊技島がＲ島であるか直線島であるか、および幕板の取付面が平板状であるか湾曲形であるかを問わず、遊技島に対して幕板を開閉自在に固定することのできる汎用性の高い取付部品、およびこれを用いて開閉自在に取り付けられた幕板を備える遊技島を提供することを目的とするものである。
【課題を解決するための手段】
【０００９】
本発明は、遊技島に固定されるベース部材と、これに対して摺動自在に軸支されるスライド部材とからなるスライド式の蝶番という基本的な構成を踏襲しつつも、幕板と当接する幕板固定片を上記従来の開閉装置１１０の接合部位１４４よりも幅狭に形成することにより、例えば幕板の取付面が幅方向に湾曲している場合についても、スライド部材を幕板に接合可能にしたことを特徴とするものである。
【００１０】
すなわち本発明は、
（１）遊技機が設置される遊技島に幕板を開閉自在に取り付けるためのスライド式の蝶番であって、
（ａ）前記遊技島に固定されるベース部材と、
（ｂ）前後方向にのびる摺動溝をそれぞれ備え、前記ベース部材の幅方向の両側に対向して設けられたガイドと、
（ｃ）前記対向する摺動溝に摺動および回動可能に軸架されたスライド軸、前記対向するガイド同士の間隔よりも幅狭に形成され幕板をネジ留めするための複数個のネジ孔が前記スライド軸の軸方向と直交する方向に並んで設けられた幕板固定片、および前記幕板固定片の基端部から幅方向に延出して前記スライド軸と幕板固定片とを結合する連結部を備え、前記ベース部材に対し前記ガイドに沿って前後に押込みおよび引出しが可能なスライド部材と、からなり、
前記スライド部材は、スライド軸の軸周りに幕板固定片の先端部を回動させることでベース部材に対して垂下および引上げが可能であって、かつ、幕板固定片をベース部材に対して水平位置とした状態では、前記連結部とガイドとのクリアランスがスライド軸と摺動溝とのクリアランスよりも大きく、連結部とガイドとが非接触であることを特徴とする幕板開閉用蝶番；
（２）遊技機が設置される遊技島に幕板を開閉自在に取り付けるためのスライド式の蝶番であって、遊技島に固定されるベース部材と、ベース部材の幅方向の両側に対向して設けられたそれぞれ前後方向にのびるガイドと、ベース部材に対し前記ガイドに沿って押込みおよび引出し可能に軸支されたスライド部材とからなり、
前記スライド部材は、該スライド部材とガイドとを摺動自在および回動可能に連結するスライド軸と、前記対向するガイド同士の間隔よりも幅狭に形成された幕板固定片と、前記スライド軸と幕板固定片とを結合する連結部と、を有することを特徴とする幕板開閉用蝶番；
（３）幕板固定片には、幕板をネジ留めするための複数個のネジ孔が、前記スライド軸の軸方向と直交する方向に並んで設けられていることを特徴とする上記（２）に記載の幕板開閉用蝶番；
（４）幕板固定片の幅寸法が、前記幕板をネジ留めするネジの座面直径の一倍以上かつ二倍以下である上記（１）から（３）のいずれかに記載の幕板開閉用蝶番；
（５）幕板固定片の幅寸法が、前記ネジ孔の直径の一倍以上かつ二倍以下である上記（１）から（３）のいずれかに記載の幕板開閉用蝶番；
（６）前記幕板固定片と連結部とが略Ｔ字状に一体成形されている上記（１）から（５）のいずれかに記載の幕板開閉用蝶番；
（７）幕板固定片がベース部材に対して水平を保った状態でスライド部材をガイドに沿って摺動させた場合に、スライド部材とガイドとはスライド軸とのみ接触することを特徴とする上記（２）から（６）のいずれかに記載の幕板開閉用蝶番；
を要旨とする。
【００１１】
また本発明にかかる遊技島は、
（８）複数台の遊技機が互いに屈曲して横並びに設置されるとともに、湾曲形状の幕板が開閉自在に設けられた遊技島であって、前記幕板は上記（１）から（７）のいずれかに記載の幕板開閉用蝶番の備える幕板固定片に対してネジ留め固定されていることを特徴とする遊技島；
を要旨とする。
【００１２】
また本発明においては、さらに具体的な態様として、
（９）ガイドの後端部には、スライド軸を係止する係止部が形成されている上記（１）から（７）のいずれかに記載の幕板開閉用蝶番；
によっても上記本発明の目的を達成することができる。
【発明を実施するための最良の形態】
【００１３】
図１は本発明にかかる幕板開閉用蝶番１０を備える遊技島９０の部分模式図である。遊技島９０はＲ島であり、同図に両側矢印にて示すその湾曲した円弧状の長手方向に沿って、複数台の遊技機１００が互いに屈曲して配置されている。隣り合う遊技機１００の機表面の法線同士の為す角で定義される屈曲角の大きさは特に限定されるものではなく、本発明では５〜１０度またはそれ以上の角度とすることもできる。
【００１４】
遊技島９０の上方にはその長手方向に沿って補給樋９２が設置され、図示しないパチンコ球などの遊技媒体を移送しつつ、これを遊技機１００に分配供給している。補給樋９２は、遊技島９０の上部側面に垂設された幕板９１によって覆い隠されている。同図では、遊技島９０の長手方向に沿って横並びに設けられた複数枚の幕板９１のうち、一枚のみが略水平に開放された状態を示している。
【００１５】
Ｒ島または直線島である遊技島９０に対して幕板９１を開閉可能に取り付ける本発明の幕板開閉用蝶番１０は、遊技島９０の天板９３や、鴨居、桁または支柱などの構造部材のうち、補給樋９２よりも高い位置にある水平面または略水平面に対して固定される。補給樋９２よりも高い位置にて幕板９１の上端部を固定することにより、補給樋９２を覆い隠すことができる。同図では天板９３の上面に、遊技機１００の一台幅につき１枚の幕板９１が、それぞれ２個の幕板開閉用蝶番１０によって遊技島９０の長手方向に沿って設けられている。
【００１６】
図２は、本発明の実施の形態にかかる幕板開閉用蝶番１０の上方斜視図である。
幕板開閉用蝶番１０は、遊技島９０の天板９３の上面に固定されるベース部材２０と、その幅方向の両側に対向して設けられたガイド３０と、ガイド３０に沿って前後方向に摺動するスライド部材４０と、スライド部材４０をガイド３０に対して前記摺動可能かつ回動可能に軸架するスライド軸４２とを備えている。図示の幕板開閉用蝶番１０の幅方向は遊技島９０の長手方向と対応し、同じく幕板開閉用蝶番１０の前後方向が遊技島９０の奥行方向に対応するよう、幕板開閉用蝶番１０は遊技島９０に対して取り付けられる。
【００１７】
ベース部材２０は、遊技島９０に対して水平または略水平に取り付け固定される。固定手段は特に限定されず、例えば図示しないネジ孔を用いてネジ固定されても、接着固定であっても両者を併用してもよい。また遊技島９０の天板９３に対して直接固定されても、スペーサやブラケットなどの取付部材を介装して固定されてもよい。
【００１８】
ガイド３０は、幅方向に伸びるスライド軸４２を備えるスライド部材４０を、幕板開閉用蝶番１０の前後方向に摺動させるための摺動溝を備えた部材である。摺動溝は、かかる機能を有する限り具体的な態様は特に限定されるものではない。例えば図２に示す本実施形態では、前後方向に伸びるベース部材２０の両端辺を直角に折り曲げるなどして立設した立面３６と、前後方向に伸びるよう立面３６に穿設された長孔３２とを摺動溝として用いている。このほか、長孔３２を貫通孔ではなく留め穴としたガイド溝や、立面３６から突出した前後方向に伸びる二枚のガイド板にてスライド軸４２を挟み込むことでこれを前後方向に案内する態様でもよい。
【００１９】
立面３６には、その上辺をさらに折り曲げるなどしてリブ３８をベース部材２０と平行に設けて立面３６を補強し、また後述するように開放状態の幕板９１を載置可能にする。また前後方向に伸びる長孔３２の後端部には、上方に折れ曲がるようにこれと連続して係止部３４が形成されている。係止部３４は後述するようにスライド軸４２を係止して幕板９１の開放状態を保持するものである（図４を参照）。
【００２０】
スライド軸４２は、長孔３２などによって具体的に構成される摺動溝に対し、摺動可能かつ回動可能に軸架される。図２では、対向するガイド３０の外側よりスライド部材４０が装着され、一対の長孔３２にともに挿通された一本のスライド軸４２が、スライド部材４０の幅方向の両端部４７，４７間に渡された態様が例示されている。このほか、スライド部材４０の幅方向の端部４７に軸心の一致した円柱状のボスをそれぞれ突出して設けることでスライド軸４２を構成してもよい。すなわちスライド軸４２は摺動溝に対して摺動可能かつ回転可能に設けられる限り図示のように一本の軸棒から成っても、分割構成されていてもよい。
【００２１】
スライド部材４０は、幕板９１と結合するとともに、スライド軸４２を介してガイド３０と摺動および回動可能に連結されて幕板９１を開放または閉止するための可動部材であり、幕板９１と結合する幕板固定片４４と、スライド軸４２と結合する連結部４８とを備えている。本発明にかかる幕板開閉用蝶番１０は、連結部４８については対向するガイド３０同士の間隔に相当する幅寸法を有するのに対し、幕板固定片４４の幅寸法はガイド３０同士の間隔よりも幅狭に形成されていることを第一の特徴とし、幕板固定片４４には、幕板９１をネジ留めするための複数個のネジ孔４６（４６ａ，４６ｂ）が、スライド軸４２の軸方向と直交する方向に並んで設けられていることを第二の特徴とする。
【００２２】
本実施形態においては、具体的には幕板９１をネジ留めするネジ（図４を参照）の座面直径の一倍以上かつ二倍以下の幅寸法の幕板固定片４４を用いている。また幕板固定片４４の幅寸法としては、ネジ孔４６の直径の一倍以上かつ二倍以下としてもよい。
【００２３】
図５に示す従来の開閉装置（蝶番）１１０では、幕板９１とネジ留めされるスライド部材１４０の幅寸法はスライド長孔１３２の間隔と同等以上に形成されているところ、本発明の場合これが極めて幅狭に形成され、上記幅寸法とすることで幕板９１を固定するネジの座面がその締結力を必要十分に幕板固定片４４に与えることができれば足りる。
【００２４】
すなわちスライド部材４０は例えばＴ字状に形成され、スライド軸直交方向に伸びる細長形状の幕板固定片４４と、その基端部４４ｂから幅方向両側に延出した連結部４８とからなる。かかる構成とすることで、スライド部材４０は、連結部４８に沿うスライド軸４２の軸周りに回動可能となり、ベース部材２０に対してその先端部４４ａが垂下または引上げ可能となる。またスライド軸４２が長孔３２に対して前後摺動可能であることから、スライド部材４０の先端部４４ａがベース部材２０と衝突しないようこれを引き上げた状態において、スライド部材４０はガイド３０やベース部材２０に対して前後に押込みおよび引出しが可能となる。
【００２５】
図３は、幕板開閉用蝶番１０を幕板９１に取り付けた状態を示す斜視図である。幕板９１は、Ｒ島の全体形状に合わせて湾曲形状をなす。同図では、湾曲形状の外側に幕板開閉用蝶番１０が取り付けられており、図１と図３とが対応した状態となっている。ただし図３では簡単のため板厚の均一な湾曲板として幕板９１を図示している。
【００２６】
また図１および図３は、遊技機１００の機表面の方向が湾曲の中心に集まる内側（以下、「内Ｒ側」という。また湾曲の外側を「外Ｒ側」という。）から見た状態の遊技島９０や幕板９１を示すものである。したがって幕板９１は内Ｒ側の面を遊技者に向けて遊技島９０に取り付けられるため、幕板開閉用蝶番１０はその裏面である幕板９１の外Ｒ側に取り付けられることとなる。これに対し、遊技島９０の反対側にあたる外Ｒ側では、遊技機１００はその機表面の方向が湾曲の外側に放散するように設置されており、幕板９１もまた遊技者に対して外Ｒ側を向けて遊技島９０に取り付けられる。したがってかかる場合、幕板開閉用蝶番１０は幕板９１の内Ｒ側に取り付けられる。なお本発明の幕板開閉用蝶番１０は上記いずれの態様であっても幕板９１をＲ島に対して開閉自在に取り付けることができる。また遊技島９０や幕板９１の曲率はとくに限定されるものではなく、極端に曲率の小さな遊技島９０（すなわち直線島）に対しても本発明の幕板開閉用蝶番１０を用いて幕板９１を遊技島９０に取り付けることができる。
【００２７】
なお本実施の形態にかかる幕板固定片４４と連結部４８とはフラットな平板状に形成されている。幕板固定片４４や連結部４８については、取り付けられる幕板９１の曲率にあわせて幅方向に湾曲した凹面または凸面形状とすることもできるが、幕板９１が平板であるか曲板であるか、さらにその曲率や凹凸の向きなどによらず汎用的に幕板開閉用蝶番１０を使用可能にする観点からは、幕板固定片４４や連結部４８を図示のように平板状に形成しつつ、幕板固定片４４を幅狭にすることが好ましい。また幕板固定片４４と連結部４８は別部材として形成されて互いに接合されていてもよいが、例えば金属材料の打ち抜き成形によって一体形成することで部品点数を削減可能である。
【００２８】
また従来の開閉装置１１０では幕板９１を留めるためのネジ孔１４６ａ，１４６ｂが幅方向に並んで設けられているのに対し、本実施形態の場合は細長形状の幕板固定片４４に対して縦並び（スライド軸直交方向）にネジ孔４６ａ，４６ｂを設けている。これにより図３に示すように、湾曲した幕板９１の内Ｒ側または外Ｒ側の面と、幕板固定片４４の複数個のネジ孔４６とは、幕板９１の湾曲形状の中心軸方向（図中上下方向）に沿った線接触の状態となる。このため本発明の場合は幕板９１が湾曲しているか否か、またその曲率の大小によらず幕板固定片４４を幕板９１に固定することができる。
【００２９】
幕板固定片４４と幕板９１とは、直接当接されてネジ固定されてもよく、また幕板９１の曲率に応じた所定の厚さのスペーサを介装してもよい。特に幕板固定片４４と連結部４８をともに幕板９１に当接させて両者を固定する場合であって、かつ幕板９１の内Ｒ側（凹面側）にスライド部材４０を固定する場合については、連結部４８と幕板９１の凹面形状とが干渉しないよう、幕板固定片４４と幕板９１との間にスペーサを介装して連結部４８とのクリアランスを確保することが好ましい。
【００３０】
幕板９１には、その幅方向（図１に示す遊技島９０における長手方向）に複数の幕板開閉用蝶番１０を設けることでこれを安定して回動可能に固定することができる。図３に示す本実施形態では、幕板９１の上端のうち幅方向の両側に離間して、二式の幕板開閉用蝶番１０の幕板固定片４４をそれぞれ接合している。
【００３１】
ここで、幕板９１に対して幕板開閉用蝶番１０を取り付ける態様として、以下の二通りのいずれかを採るとよい。
（i）ネジ孔４６がそれぞれ当接する位置における幕板９１の幅方向の接線の向く方向と、スライド軸４２の軸方向とをそれぞれ一致させ、つまり幕板９１の湾曲形状の接線方向にスライド軸４２をあわせて、幕板９１に設けられる複数式の幕板開閉用蝶番１０を、互いにハの字状または放射状に取り付ける態様（図３の態様）。
（ii）複数式の幕板開閉用蝶番１０を、それぞれのスライド軸４２の軸心を一致させて、すなわち幕板開閉用蝶番１０を横並びとして幕板９１に取り付ける態様（図示せず）。
【００３２】
上記（i）の場合、幕板固定片４４を含む平面がそれぞれ幕板９１に対して接することになり、幕板固定片４４と幕板９１とが正対することからネジ孔４６を介してのネジ留めが強固に行われるという利点がある。ただしこの場合、下端を持ち上げるよう回動させた幕板９１を長孔３２に沿ってスライドさせて押し込む際に、幕板固定片４４同士の幅方向の距離が変動する（図３の場合、徐々に広がる）ことから、幕板開閉用蝶番１０においてはスライド部材４０とガイド３０との間に幅方向に所定のクリアランスを設けることで、当該変動分を吸収させることが好ましい。
【００３３】
上記（ii）の場合、幕板９１を長孔３２に沿ってスライドさせても幕板固定片４４同士の幅方向の距離は変動しないため、幕板開閉用蝶番１０にはスライド部材４０とガイド３０との間に所要のクリアランスを設ける必要はない。なお、幕板固定片４４と幕板９１とが正対して当接しない場合には、幕板固定片４４と幕板９１との間に楔状などに形成されたスペーサを介装するとよい。
【００３４】
図４（ａ）〜（ｄ）は、幕板９１を開放して固定する様子を示す模式図である。遊技島９０を長手方向に対して垂直に切った状態を示す断面図であり、幕板９１は簡単のため平板状に図示されている。
【００３５】
図４（ａ）は、幕板９１が遊技島９０に対して垂下された状態を示している。幕板開閉用蝶番１０は、ベース部材２０が遊技島９０の例えば天板９３に載置固定され、スライド軸４２が長孔３２のもっとも前端部に引き出された位置にある。スライド部材４０は遊技島９０の前面（図中右側側面）に垂下され、縦並びに設けられた二本のネジ５０によって幕板９１と結合されている。これにより遊技島９０の内部構造が幕板９１によって覆い隠される。かかる状態から、幕板９１の先端（下端）を引き上げて、スライド軸４２を中心に回動させることでこれを開放状態としたのが図４（ｂ）である。
【００３６】
図４（ｂ）では、幕板９１の法線方向が鉛直上方を向くまで、すなわち幕板９１が水平状態となるまで先端を引き上げることにより、スライド軸４２を中心に幕板９１が回動している。これにより遊技島９０は内部が露わとなり、例えば補給樋９２（図１を参照）の清掃やメンテナンスなどをすることができる。
【００３７】
本実施形態にかかる幕板開閉用蝶番１０は、幕板固定片４４をベース部材２０に対して水平位置とした図４（ｂ）の状態において、連結部４８とガイド３０とのクリアランスが、立面３６に設けた長孔３２の内縁とスライド軸４２との高さ方向のクリアランスよりも大きく、連結部４８とガイド３０とが非接触であることを特徴とする。これにより、同図の状態から矢印方向に幕板９１を水平に押し込む場合、スライド部材４０とガイド３０とはスライド軸４２を介してのみ互いに接触することになり、スライド軸４２の潤滑性を向上することで幕板９１の押込みまたは引出しの摺動摩擦を小さくすることができる。
【００３８】
スライド軸４２の滑り摩擦および／または転がり摩擦を低減するにあたっては、スライド軸４２およびこれと接触するガイド３０やスライド部材４０に摩擦係数の小さな金属材料を用い、かつ互いに接触するガイド３０とスライド軸４２、およびスライド軸４２とスライド部材４０を異種材料とするとよい。これは同種金属同士の界面に生じる金属結合によって摩擦抵抗が増大することを防ぐためである。またスライド軸４２については押込みや引出しの終端（前端または後端）で長孔３２の周縁から剪断力を受けることから、機械的強度にも優れる材料が好ましく、これらを総合してステンレス鋼（ＳＵＳ）の円柱材料から得るとよい。一方、ベース部材２０やガイド３０、スライド部材４０については、スライド軸４２と異種であって、強度と、加工性やメッキ性を良好にする観点から、例えば酸洗鋼板を用いることができる。
【００３９】
またかかる水平状態から幕板９１の先端をさらに引き上げた状態が図４（ｃ）である。
【００４０】
本実施形態のスライド部材４０は、同図に示すように幕板固定片４４の先端部４４ａを水平位置よりも上方に引き上げ可能であることを特徴とする。これは、幕板固定片４４と連結部４８とがＴ字状に形成され、すなわち連結部４８は幕板固定片４４の反対側（図２の斜視図でいう連結部４８の上辺４９）が少なくともガイド３０と干渉する虞のある端部４７の近傍においてフラットに形成されており、図５に示す従来の開閉装置１１０にあるような突起が設けられていないことによる。すなわち連結部４８の前記上辺４９をフラットにすることでガイド３０のリブ３８とのクリアランスを大きく確保されるため、水平を超える角度で幕板固定片４４および幕板９１を引き上げることができる。
【００４１】
これにより、図４（ｃ）では幕板９１の先端は水平方向よりも上向きとなり、ネジ５０や幕板９１の下面（遊技島９０の内側表面）が幕板開閉用蝶番１０と干渉することがないため、作業者はスライド軸４２を長孔３２に沿って後方（矢印方向）に滑らかに摺動させることで幕板９１を遊技島９０の奥方へ容易に押し込むことができる。
【００４２】
幕板９１を遊技島９０に対してもっとも奥方まで押し込んだ状態が図４（ｄ）である。
【００４３】
図４（ｄ）では、自重によって先端が垂れ下がろうとする幕板９１の反作用として、長孔３２の後端まで押し込まれたスライド軸４２が押し上げ荷重を受けるため、係止部３４とロックされ、幕板９１が自重によって前方に引き出されて閉止してしまうことが規制される。これにより、幕板９１が不意に閉止することがないため、遊技島９０内部の補給樋の清掃等をする作業者は、幕板９１の開放状態を信じて安心して作業をすることができる。
【図面の簡単な説明】
【００４４】
【図１】幕板開閉用蝶番１０を備える遊技島９０の部分模式図である。
【図２】幕板開閉用蝶番１０の斜視図である。
【図３】幕板開閉用蝶番１０を幕板９１に取り付けた状態を示す斜視図である。
【図４】（ａ）〜（ｄ）幕板９１を開放して固定する様子を示す模式図である。
【図５】従来の開閉装置１１０の上方斜視図である。
【符号の説明】
【００４５】
１０    幕板開閉用蝶番
２０    ベース部材
３０    ガイド
３２    長孔
３４    係止部
４０    スライド部材
４２    スライド軸
４４    幕板固定片
４６    ネジ孔
４８    連結部
５０    ネジ
９０    遊技島
９１    幕板
９２    補給樋
９３    天板
１００  遊技機
【図１】
2008125699.tif 000003
【図２】
2008125699.tif 000004
【図３】
2008125699.tif 000005
【図４】
2008125699.tif 000006
【図５】
2008125699.tif 000007